(57)【要約】【課題】口腔内の広範囲を一括して照明するこが可能な照明装置を提供すること。【解決手段】本照明装置は、口腔内を照明する照明装置であって、顔面の所定部を覆うように保持されるマスク状部材と、前記マスク状部材の顔面側に配置された光源群と、を有し、前記光源群からの出射光のうち、生体を透過して前記口腔内に達した透過光により前記口腔内を照明する。【選択図】図１
2017023376.tif 000002
【特許請求の範囲】
【請求項１】
口腔内を照明する照明装置であって、
顔面の所定部を覆うように保持されるマスク状部材と、
前記マスク状部材の顔面側に配置された光源群と、を有し、
前記光源群からの出射光のうち、生体を透過して前記口腔内に達した透過光により前記口腔内を照明することを特徴とする照明装置。
【請求項２】
前記所定部は、左右頬部、上下顎部、上下唇部、頤部、及び頤下部を含むことを特徴とする請求項１に記載の照明装置。
【請求項３】
前記出射光は近赤外光であることを特徴とする請求項１又は２に記載の照明装置。
【請求項４】
前記口腔内を撮像する撮像装置と一体化されたことを特徴とする請求項１乃至３の何れか一項に記載の照明装置。
【請求項５】
前記撮像装置は、全天球型光学系を有していることを特徴とする請求項４に記載の照明装置。
【請求項６】
前記撮像装置を複数備え、
更に、前記口腔内の撮影範囲を拡張してパノラマ画像を得る画像処理手段を備えたことを特徴とする請求項４に記載の照明装置。
【請求項７】
前記撮像装置の駆動回路と一体化されたことを特徴とする請求項４乃至６の何れか一項に記載の照明装置。
【請求項８】
前記光源群の駆動回路と一体化されたことを特徴とする請求項４乃至７の何れか一項に記載の照明装置。
【請求項９】
前記マスク状部材に、前記口腔内を撮像する撮像装置を挿入する穴を設けたことを特徴とする請求項１乃至３の何れか一項に記載の照明装置。
【発明の詳細な説明】
【技術分野】
【０００１】
本発明は、照明装置に関する。
【背景技術】
【０００２】
従来、歯科用として診断に用いられる撮影は、主にｘ線に拠ってなされてきた。一方、昨今の撮像素子の小型化高性能化に伴い、口腔内に光学系を挿入した撮像装置が提供されつつある。何れも、齲蝕の診断に適合する手段として用いることが可能であるが、歯並びを含めた、ｘ線による口腔周辺を走査するような撮影方法は取られていない上、歯間の死角に発生した齲蝕を発見するのは困難である。
【０００３】
又、透明アクリル等からなる導光管とそれを支持した透明板とを有する口腔撮影用照明アダプタ装置をカメラのストロボ部分に取り付ける方法が提案されている。この方法では、導光管は透明板に付着した一端から伸び、途中でカメラレンズ部分に向かって曲げられ、更にカメラレンズ部分の中心付近で導光管の他端が被写体を向くように曲げられる。カメラのストロボから出る光は、導光管の一端から導かれ、他端から出て被写体に照射される。ストロボの光は、透明板や導光管の曲がり部や導光管の他端からの種々の散乱光により、口腔内の暗い部分に照射される（例えば、特許文献１参照）。
【発明の概要】
【発明が解決しようとする課題】
【０００４】
しかしながら、上記の方法は、外部照明の散乱光を用いるものであり、構造が複雑であると共に、口腔内の広範囲を一括して照明することは困難である。
【０００５】
本発明は、上記の点に鑑みてなされたものであり、口腔内の広範囲を一括して照明するこが可能な照明装置を提供することを目的とする。
【課題を解決するための手段】
【０００６】
本照明装置は、口腔内を照明する照明装置であって、顔面の所定部を覆うように保持されるマスク状部材と、前記マスク状部材の顔面側に配置された光源群と、を有し、前記光源群からの出射光のうち、生体を透過して前記口腔内に達した透過光により前記口腔内を照明することを要件とする。
【発明の効果】
【０００７】
開示の技術によれば、口腔内の広範囲を一括して照明するこが可能な照明装置を提供できる。
【図面の簡単な説明】
【０００８】
【図１】第１の実施の形態に係る照明装置を例示する斜視図である。
【図２】第１の実施の形態に係る照明装置を患者に装着する様子を例示する斜視図である。
【図３】第２の実施の形態に係る照明装置を例示する斜視図である。
【図４】第２の実施の形態に係る照明装置を患者に装着する様子を例示する斜視図である。
【図５】駆動回路の一例を示す図である。
【発明を実施するための形態】
【０００９】
以下、図面を参照して発明を実施するための形態について説明する。各図面において、同一構成部分には同一符号を付し、重複した説明を省略する場合がある。
【００１０】
〈第１の実施の形態〉
図１は、第１の実施の形態に係る照明装置を例示する斜視図であり、図１（ａ）は照明装置を一方の側から視た様子を、図１（ｂ）は照明装置を他方の側から視た様子を示している。図２は、第１の実施の形態に係る照明装置を患者に装着する様子を例示する斜視図である。
【００１１】
図１を参照するに、照明装置１は、マスク状部材１１と、マスク状部材１１の患者の顔面側に配置された光源群１２とを有しており、患者の口腔内を照明する照明装置である。マスク状部材１１には、撮像装置の撮像部を挿入するための穴１１１が設けられている。なお、図１及び図２における梨地模様は光源群１２を構成する多数の光源を模式的に示したものである。
【００１２】
図２に示すように、マスク状部材１１は、患者３００の顔面の一部に装着し易い形状（お面状）とされており、患者３００の顔面の所定部を覆うように保持される。より詳しくは、マスク状部材１１は、光源群１２を患者３００の顔面側に向けて、例えば、患者３００の顔面の顎部３５０へ光源群１２を押し付けた状態で保持される。マスク状部材１１は、例えば、可撓性を有する樹脂等により形成することができる。
【００１３】
なお、マスク状部材１１は、患者３００の顔面の左右頬部、上下顎部、上下唇部、頤部（顎の先端部分）、及び頤下部を含む部分を覆うように保持できる形状とすることが好ましい。患者３００の口腔内の後方及び上下顎部後方を除く全ての方向の照明を同時に行うことが可能になるからである。
【００１４】
光源群１２としては、例えば、多数の発光ダイオードを用いることができる。光源群１２は、照明装置１の外部に設けられた駆動回路からの電力により点灯することができる。光源群１２を構成する各光源からの出射光は近赤外光（例えば、波長８００ｎｍ〜１６００ｎｍ程度の範囲）であることが好ましい。
【００１５】
このような波長の近赤外光は、短波長側（≒可視光領域）の赤血球による吸収や長波長側の水による吸収を避けることが可能であるため、生体を透過した透過光が患者３００の口腔内に到達し易いからである。これにより、効率のよい撮像が可能になる。
【００１６】
なお、光源群１２を構成する各光源は発光ダイオードには限らず、このような波長の近赤外光を出射可能な任意の光源を用いることができる。
【００１７】
マスク状部材１１を患者３００の顔面に押し付けた状態で光源群１２を点灯させ、マスク状部材１１の穴１１１を介して撮像装置２０の撮像部２１により、患者３００の口腔内を撮像する。この際、光源群１２からの出射光のうち、生体（例えば、歯、歯根、歯肉、舌、頬、上顎等）を透過して患者３００の口腔内に達した透過光により患者３００の口腔内の略全体が照明される。そのため、撮像装置２０により患者３００の口腔内の良好な撮像が可能となる。但し、光源群１２からの出射光の一部が直接患者３００の口腔内に達し、透過光と共に患者３００の口腔内を照明してもよい。
【００１８】
特に、マスク状部材１１が、患者３００の顔面の左右頬部、上下顎部、上下唇部、頤部（顎の先端部分）、及び頤下部を含む部分を覆うように保持されていれば、患者３００の口腔内の後方及び上下顎部後方を除く全ての方向の照明を同時に行うことができる。この場合、例えば、撮像装置２０が全天球型光学系を有していれば、口腔内の後方及び上下顎部後方を除く全ての方向の撮像を一括して行うことが可能となる。
【００１９】
又、撮像装置２０を複数備え、画像処理手段により、患者３００の口腔内の撮影範囲を拡張してパノラマ画像を得るようにしてもよい。この場合は、撮像装置２０が全天球型光学系を有していなくても、撮像装置２０が全天球型光学系を有している場合と同様の画像を得ることができる。
【００２０】
画像処理手段は、例えば、ＣＰＵ（Central Processing Unit）、ＲＯＭ（Read Only Memory）、メインメモリ等を含む構成とすることができる。この場合、画像処理手段の各種機能は、ＲＯＭ等に記録されたプログラムがメインメモリに読み出されてＣＰＵにより実行されることによって実現できる。但し、画像処理手段の一部又は全部は、ハードウェアのみにより実現されてもよい。又、画像処理手段は、物理的に複数の装置等により構成されてもよい。画像処理手段は、撮像装置２０に内蔵されてもよい。
【００２１】
なお、撮像の際に、必要に応じて、マスク状部材１１の穴１１１を介して、撮像装置２０の撮像部２１を患者３００の口腔内に挿入してもよい。
【００２２】
又、光源群１２の点灯は、撮像装置２０の性格に合わせて適宜決定できる。例えば、ビデオのような連続的な撮影の場合には、シャッタに同期した断続的な点灯としてもよいし、連続的な点灯としてもよい。スチール撮影の場合は、シャッタに同期して点灯させるのみでもよい。その場合は、連続で点灯する場合よりも、撮影に必要な光度を大きくすることが可能な場合がある。
【００２３】
このように、第１の実施の形態に係る照明装置１は、患者３００の顔面の所定部を覆うように保持されるマスク状部材１１と、マスク状部材１１の顔面側に配置された光源群１２とを有している。そして、光源群１２からの出射光のうち、生体を透過して患者３００の口腔内に達した透過光により口腔内を照明する。これにより、患者３００の口腔内の広範囲を一括して照明することが可能となり、全天球型の撮影に適した照明を実現することができる。
【００２４】
〈第２の実施の形態〉
第２の実施の形態では、口腔内を撮像する撮像装置と一体化された照明装置の例を示す。なお、第２の実施の形態において、既に説明した実施の形態と同一構成部についての説明は省略する場合がある。
【００２５】
図３は、第２の実施の形態に係る照明装置を例示する斜視図であり、図３（ａ）は照明装置を一方の側から視た様子を、図３（ｂ）は照明装置を他方の側から視た様子を示している。図４は、第２の実施の形態に係る照明装置を患者に装着する様子を例示する斜視図である。
【００２６】
図３を参照するに、照明装置２は、マスク状部材１１と、マスク状部材１１の患者の顔面側に配置された光源群１２と、撮像部２１を備えた撮像装置２０とを有している。すなわち、照明装置２は、口腔内を撮像する撮像装置２０と一体化されている。なお、照明装置１とは異なり、穴１１１は設けられていない。
【００２７】
光源群１２の駆動回路は照明装置２の外部に設けてもよいが、照明装置２と一体化することにより取り扱いが容易となる。照明装置２と一体化する場合、例えば、撮像装置２０の内部（円筒状の外筐の内側）に、撮像装置２０の駆動回路と共に光源群１２の駆動回路を配置することができる。
【００２８】
撮像装置２０の円筒状の外筐は、取っ手としても機能する。これにより、図４において、撮像装置２０の円筒状の外筐を手で持って、患者３００の顔面の顎部３５０へ照明装置２を容易に押し付けて撮像することが可能となる。
【００２９】
本実施の形態では、撮像装置２０が全天球型光学系を有している場合、口腔内での撮像部２１の位置合わせは略不要である。この点は、外部からの制御によって撮像部分に向けて撮像部の向きを変える必要がある従来の撮像装置とは大きく異なる。
【００３０】
なお、撮像装置２０が全天球型光学系を有している場合、光源群１２を構成する各光源（発光ダイオード等）は、概ね撮像部２１へ向かう方向に各光源の放射軸を合わせる向きに配置することが望ましい。これにより、個人差があって、必ずしも完全に患者３００の顔面の顎部３５０に光源群１２が密着しなくても、照明効率の低下を最小限にすることができる。
【００３１】
又、一体化する撮像装置２０は複数個であってもよい。この場合、第１の実施の形態で説明した画像処理手段を撮像装置２０に内蔵することにより、患者３００の口腔内の撮影範囲を拡張してパノラマ画像を得ることができる。すなわち、撮像装置２０が全天球型光学系を有していなくても、患者の口腔内の広範囲の撮像を一括して行うことができる。
【００３２】
又、光源群１２を構成する各光源が発光ダイオードである場合、光源群１２の駆動回路として、例えば、図５に示す駆動回路を用いることができる。図５に示す駆動回路は、１個又は直列に接続した複数個の発光ダイオード１２１と安定化抵抗１５とを直列接続した組を複数組並列接続し、電圧源１９で駆動する回路である。但し、光源群１２の駆動回路は図５に示すものには限らず、例えば、１個又は直列に接続した複数個の発光ダイオード１２１を電流駆動によって直接駆動する回路であってもよい。
【００３３】
このように、第２の実施の形態に係る照明装置２は、撮像装置２０と一体化されている。これにより、第１の実施の形態に係る照明装置１の奏する効果に加えて、使い勝手の向上という新たな効果を奏する。
【００３４】
なお、第１の実施の形態及び第２の実施の形態で例示した本件の手段は、必要とする画像を得るための１つの手段である。
【００３５】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００３６】
１、２  照明装置
１１  マスク状部材
１２  光源群
１５  安定化抵抗
１９  電圧源
２０  撮像装置
２１  撮像部
１１１  穴
１２１  発光ダイオード
３００  患者
３５０  顎部
【先行技術文献】
【特許文献】
【００３７】
【特許文献１】特開２００７−２２２３８４号公報
【図１】
2017023376.tif 000003
【図２】
2017023376.tif 000004
【図３】
2017023376.tif 000005
【図４】
2017023376.tif 000006
【図５】
2017023376.tif 000007